(57)【要約】【課題】分岐ブレーカ毎に設置された電力メータと、コンセントとの対応付けを、電力計測システムのシステムコントローラに対して容易に設定することのできる配線端末設定システムを提供する。【解決手段】配線端末設定装置４０は、コンセントに接続されると、そのコンセントの配線に高周波電流を発生させる。また、ユーザが入力したコンセント番号をシステムコントローラ３０に送信する。電力メータ２０は、高周波電流を検出すると、自己のＩＤを格納した高周波電流検出データをシステムコントローラ３０に送信する。システムコントローラ３０は、受信した高周波電流検出データから送信元の電力メータ２０のＩＤを抽出し、受信したコンセントデータからコンセント番号を抽出する。そして、システムコントローラ３０は、抽出した電力メータ２０のＩＤと、抽出したコンセント番号を対応付けたデータを記憶装置に格納する。【選択図】図１
2011038978.tif 000002
【特許請求の範囲】
【請求項１】
複数の分岐ブレーカの各々に対応するように設置された複数の電気計器と、該複数の電気計器とデータ通信可能に接続するシステムコントーラと、該システムコントローラとデータ通信可能に接続する配線端末設定装置と、から構成される配線端末設定システムであって、
前記配線端末設定装置は、
配線端末と接続するための端子と、
接続した前記配線端末の配線に高周波電流を発生させる高周波電流発生手段と、
当該配線端末の識別番号を取得する配線番号取得手段と、
該配線番号取得手段が取得した当該配線端末の識別番号を格納したコンセントデータを前記システムコントーラに送信する通信手段と、を備え、
前記各電気計器は、
対応する分岐ブレーカの配線の電気特性を計測する計測手段と、
対応する分岐ブレーカの配線に高周波電流が発生しているか否かを検出する高周波電流検出手段と、
計測した電気特性と、自己の識別子とを格納した計測データを所定のタイミングで前記システムコントローラに送信すると共に、前記高周波電流検出手段が高周波電流を検出した場合には、その旨の情報と、自己の識別子とを格納した高周波電流検出データを前記システムコントローラに送信する通信手段と、を備え、
前記システムコントローラは、
前記各電気計器からの計測データ及び高周波電流検出データを受信すると共に、前記配線端末設定装置からのコンセントデータを受信する通信手段と、
受信した前記計測データを記憶する記憶手段と、
受信した前記高周波電流検出データから抽出した送信元の電気計器の識別子と、受信したコンセントデータから抽出した配線端末の識別番号とを対応付けたデータを前記記憶手段に格納する設定手段と、を備える、
ことを特徴とする配線端末設定システム。
【請求項２】
前記配線端末設定装置は、ユーザからの入力を受け付ける入力手段をさらに備え、
前記配線番号取得手段は、ユーザにより入力されたデータから当該配線端末の識別番号を取得する、
ことを特徴とする請求項１に記載の配線端末設定システム。
【請求項３】
前記システムコントローラの通信手段は、前記設定手段による前記データの格納が完了すると、当該配線端末についての設定が完了した旨を示す設定完了データを前記配線端末設定装置に送信し、
前記配線端末設定装置は、前記設定完了データを受信した際に、所定の態様でユーザに報知する報知手段をさらに備える、
ことを特徴とする請求項１又は２に記載の配線端末設定システム。
【請求項４】
複数の分岐ブレーカの各々に対応するように設置された複数の電気計器と、該複数の電気計器とデータ通信可能に接続するシステムコントーラと、該システムコントローラとデータ通信可能に接続する配線端末設定装置と、から構成される配線端末設定システムであって、
前記配線端末設定装置は、親機と、該親機とデータ通信可能に接続する１又は複数の子機を備え、
該各子機は、
配線端末と接続するための端子と、
前記親機からの起動要求データを受信する通信手段と、
前記起動要求データを受信した場合に、接続した前記配線端末の配線に高周波電流を発生させる高周波電流発生手段と、を備え、
前記親機は、
制御対象の子機が接続する配線端末の識別番号を取得する配線番号取得手段と、
起動要求データを制御対象の子機に送信すると共に、前記配線番号取得手段が取得した当該配線端末の識別番号を格納したコンセントデータを前記システムコントーラに送信する通信手段と、を備え
前記各電気計器は、
対応する分岐ブレーカの配線の電気特性を計測する計測手段と、
対応する分岐ブレーカの配線に高周波電流が発生しているか否かを検出する高周波電流検出手段と、
計測した電気特性と、自己の識別子とを格納した計測データを所定のタイミングで前記システムコントローラに送信すると共に、前記高周波電流検出手段が高周波電流を検出した場合には、その旨の情報と、自己の識別子とを格納した高周波電流検出データを前記システムコントローラに送信する通信手段と、を備え、
前記システムコントローラは、
前記各電気計器からの計測データ及び高周波電流検出データを受信すると共に、前記親機からのコンセントデータを受信する通信手段と、
受信した前記計測データを記憶する記憶手段と、
受信した前記高周波電流検出データから抽出した送信元の電気計器の識別子と、受信したコンセントデータから抽出した配線端末の識別番号とを対応付けたデータを前記記憶手段に格納する設定手段と、を備える、
ことを特徴とする配線端末設定システム。
【請求項５】
前記親機は、ユーザからの入力を受け付ける入力手段をさらに備え、
前記配線番号取得手段は、ユーザにより入力されたデータから当該配線端末の識別番号を取得する、
ことを特徴とする請求項４に記載の配線端末設定システム。
【請求項６】
前記システムコントローラの通信手段は、前記設定手段による前記データの格納が完了すると、当該配線端末についての設定が完了した旨を示す設定完了データを前記親機に送信し、
前記親機は、前記設定完了データを受信した際に、所定の態様でユーザに報知する報知手段をさらに備える、
ことを特徴とする請求項４又は５に記載の配線端末設定システム。
【発明の詳細な説明】
【技術分野】
【０００１】
本発明は、分岐ブレーカ毎に設置された電気計器とコンセント等の配線端末とを対応付けるための技術に関する。
【背景技術】
【０００２】
近年、電力の消費状況を緻密に監視する目的から、電力計測システムをオフィスビル等に導入する企業等も多い。かかる電力計測システムは、分岐ブレーカ（例えば、数十〜数百個）毎に設置した電力メータについての情報と、各電力メータに対応するコンセント等の配線端末についての情報と、各電力メータに対応する（即ち、計測対象となる）部署等についての情報とを関連付けて記憶し、各部署等における電力の消費状況等を監視する。
【０００３】
例えば、配線工事の後など、電力メータとコンセント等との対応付けの再設定が電力計測システムに対して必要となるが、従来では、作業員等が、図面等の情報を基にして、電力計測システムのコントローラ（システムコントローラ）に、電力メータ毎に対応する全てのコンセント等の情報を入力して、再設定する作業を要していた。かかる作業は、煩雑で手間がかかる上、誤りも発生し易いという問題があった。
【０００４】
例えば、特許文献１、２には、分岐ブレーカ毎の配線とコンセント等との対応付けに関する技術が提案されている。
【０００５】
特許文献１で提案される技術では、各分岐ブレーカ毎に設置した変流器が分岐配線毎の通電電流を検出し、その検出結果を親機に通知する。親機は、各分岐ブレーカの通電電流の値を個別にデータとして子機に送信する。ユーザは、調査対象のコンセントに負荷装置を接続し、子機で表示される各分岐ブレーカの通電電流の変化を目視することで、当該コンセントがどの分岐ブレーカに接続されているのかを確認する。
【０００６】
また、特許文献２で提案される技術では、断続負荷電流を発生する断続負荷装置を調査対象のコンセントに接続し、対応する分岐配線に断続負荷電流を流す。この断続負荷電流は、各分岐ブレーカそれぞれの分岐配線に対する負荷電流を検出する検流計により検出される。ユーザは、検流計により断続負荷電流が検出された分岐配線に対応する分岐ブレーカを、当該コンセントに対応する分岐ブレーカであると特定する。
【先行技術文献】
【特許文献】
【０００７】
【特許文献１】特開２００３−１０７１２１号公報
【特許文献２】特開平５−１９９６２４号公報
【発明の概要】
【発明が解決しようとする課題】
【０００８】
特許文献１のように、負荷装置の接続に対する分岐配線の通電電流の変化に基づいて、対応する分岐ブレーカを特定する方法では、調査時において、対象となる全てのコンセントから負荷機器を外す等して、無負荷状態にする必要がある。一方、特許文献２では、断続負荷電流を分岐配線に流すことで、対応する分岐ブレーカを特定するため、ＯＡ機器等の負荷機器を他のコンセントに接続した活線状態でも作業を行うことができる。
【０００９】
しかしながら、特許文献１及び２の何れにおいても、コンセントと分岐ブレーカとの対応付けが、ユーザの目視、即ち、人的な判断に依拠するものであるため、看過や見誤り等によって、誤った対応付けをしてしまう可能性もある。また、そもそも特許文献１及び２で提案される技術は、分岐ブレーカ毎の配線とコンセントとの対応をコンセント毎に確認する技術に関するものであり、システムコントローラに対する電力メータとコンセント等との対応付けの設定が煩雑であるという上記従来の問題を解決するものではない。
【００１０】
本発明は、上記従来の問題に鑑みてなされたものであり、分岐ブレーカ毎に設置された電力メータ等の電気計器と、コンセント等の配線端末との対応付けを、電力計測システムのシステムコントローラに対して容易に設定することのできる配線端末設定システムを提供することを目的とする。
【課題を解決するための手段】
【００１１】
上記目的を達成するため、本発明に係る配線端末設定システムは、
複数の分岐ブレーカの各々に対応するように設置された複数の電気計器と、該複数の電気計器とデータ通信可能に接続するシステムコントーラと、該システムコントローラとデータ通信可能に接続する配線端末設定装置と、から構成される配線端末設定システムであって、
前記配線端末設定装置は、
配線端末と接続するための端子と、
接続した前記配線端末の配線に高周波電流を発生させる高周波電流発生手段と、
当該配線端末の識別番号を取得する配線番号取得手段と、
該配線番号取得手段が取得した当該配線端末の識別番号を格納したコンセントデータを前記システムコントーラに送信する通信手段と、を備え、
前記各電気計器は、
対応する分岐ブレーカの配線の電気特性を計測する計測手段と、
対応する分岐ブレーカの配線に高周波電流が発生しているか否かを検出する高周波電流検出手段と、
計測した電気特性と、自己の識別子とを格納した計測データを所定のタイミングで前記システムコントローラに送信すると共に、前記高周波電流検出手段が高周波電流を検出した場合には、その旨の情報と、自己の識別子とを格納した高周波電流検出データを前記システムコントローラに送信する通信手段と、を備え、
前記システムコントローラは、
前記各電気計器からの計測データ及び高周波電流検出データを受信すると共に、前記配線端末設定装置からのコンセントデータを受信する通信手段と、
受信した前記計測データを記憶する記憶手段と、
受信した前記高周波電流検出データから抽出した送信元の電気計器の識別子と、受信したコンセントデータから抽出した配線端末の識別番号とを対応付けたデータを前記記憶手段に格納する設定手段と、を備えることを特徴とする。
【発明の効果】
【００１２】
本発明によれば、分岐ブレーカ毎に設置された電力メータ等の電気計器と、コンセント等の配線端末との対応付けを、電力計測システムのシステムコントローラに対して容易に設定することが可能となる。
【図面の簡単な説明】
【００１３】
【図１】本発明の実施形態１に係る配線端末設定システムの全体構成を示す図である。
【図２】電力メータの構成を示すブロック図である。
【図３】システムコントローラの構成を示すブロック図である。
【図４】配線端末設定装置の構成を示すブロック図である。
【図５】配線端末設定装置、電力メータ、システムコントローラにおける処理の流れを示すフローチャートである。
【図６】本発明の実施形態２に係る配線端末設定システムの全体構成を示す図である。
【図７】親機の構成を示すブロック図である。
【図８】子機の構成を示すブロック図である。
【図９】他の実施形態に係る配線端末設定装置を説明するための図である。
【発明を実施するための形態】
【００１４】
以下、本発明の実施形態について図面を参照して詳細に説明する。
【００１５】
（実施形態１）
図１は、実施形態１に係る配線端末設定システムの全体構成を示す図である。この配線端末設定システムは、複数の電力メータ２０と、システムコントローラ３０と、配線端末設定装置４０と、から構成される。各電力メータ２０と、システムコントローラ３０は、有線又は無線にて通信可能に接続されている。なお、電力メータ２０と、システムコントローラ３０は、電力の消費状況等を監視する電力計測システムを構成する。
【００１６】
各電力メータ２０は、図示しない分電盤に設けられた複数のブレーカ１０の各々に対応して設置される。ブレーカ１０は、分電盤に設けられた図示しない分岐回路毎に設けられ、所定値以上の電流が流れると自動的に「切」状態になることで、当該分岐回路に対応するコンセント等の配線端末に接続した電気機器への電力供給を遮断する分岐ブレーカである。
【００１７】
図２に示すように、電力メータ２０は、電力計測部２０１と、高周波電流検出部２０２と、ＩＤ記憶部２０３と、通信部２０４と、を備える。電力計測部２０１は、対応するブレーカ１０の配線（配線系統）の電力値の計測を行う。高周波電流検出部２０２は、対応するブレーカ１０の配線に高周波電流が発生しているか否かの検出を行う。ＩＤ記憶部２０３は、不揮発性の半導体メモリ等から構成され、各々の電力メータ２０を一意に識別するために予め割り振られた識別子（ＩＤ）を記憶する。
【００１８】
通信部２０４は、所定の時間間隔で、電力計測部２０１が計測した電力値と、ＩＤ記憶部２０３に記憶されているＩＤとを格納した計測データを作成し、システムコントローラ３０に送信する。
【００１９】
また、通信部２０４は、高周波電流検出部２０２により高周波電流が検出されると、その旨の情報と、ＩＤ記憶部２０３に記憶されているＩＤとを格納した高周波電流検出データを作成し、システムコントローラ３０に送信する。
【００２０】
システムコントローラ３０は、図３に示すように、通信部３１と、入力部３２と、表示部３３と、記憶装置３４と、制御部３５と、を備える。
【００２１】
通信部３１は、各電力メータ２０と無線又は有線によるデータ通信を行う。通信部３１は、各電力メータ２０から送信された計測データ又は高周波電流検出データを受信し、受信したこれらのデータを制御部３５に供給する。また、通信部３１は、配線端末設定装置４０と所定の無線方式によるデータ通信を行う。
【００２２】
入力部３２は、キーボード、キーパッド、タッチパッドやマウス等の入力デバイスから構成され、ユーザ（例えば、システム管理者）からの操作入力を受け付け、受け付けた信号（操作信号）を制御部３５に送出する。表示部３３は、ＣＲＴや液晶モニタ等の表示デバイスにより構成され、制御部３５から供給される文字や画像等のデータを表示する。なお、入力部３２及び表示部３３をタッチパネルで具現化してもよい。
【００２３】
記憶装置３４は、読み書き可能な不揮発性の半導体メモリやハードディスク等から構成され、各部署の電力の消費状況等を監視するための各種のプログラムや様々なデータを記憶する。
【００２４】
制御部３５は、ＣＰＵ（Central Processing Unit）、ＲＯＭ（Read Only Memory）、ＲＡＭ（Random Access Memory）等（何れも図示せず）から構成され、通信部３１、入力部３２、表示部３３、記憶装置３４を制御し、それに付随して、これらとの間でデータの授受を行う。
【００２５】
制御部３５は、通信部３１から供給された各電力メータ２０からの計測データを記憶装置３４に蓄積して保存し、保存した計測データに基づいて、各部署の電力の消費状況を分析し、その結果を表示部３３に表示する。かかる処理は、オフィスビル等に導入されるこの種の電力計測システムのシステムコントローラが実行する処理と同様である。
【００２６】
また、制御部３５は、通信部３１が何れかの電力メータ２０からの高周波電流検出データを受信すると、その高周波電流検出データから送信元の電力メータ２０のＩＤを抽出する。そして、制御部３５は、配線端末設定装置４０から送られてきたコンセントデータ（詳細は後述する）からコンセント番号を抽出し、このコンセント番号と、先に抽出した電力メータ２０のＩＤとを対応付けて記憶装置３４に格納する。そして、制御部３５は、当該コンセントの対応付けが完了した旨を通知するためのデータ（設定完了データ）を通信部３１を介して、配線端末設定装置４０に送信する。この設定完了データには、当該電力メータ２０のＩＤを格納することもできる。
【００２７】
図４は、配線端末設定装置４０の構成を示すブロック図である。図４に示すように、配線端末設定装置４０は、通信部４１と、アンテナ４２と、入力部４３と、表示部４４と、電源部４５と、プラグ４６と、負荷部４７と、負荷駆動部４８と、制御部４９と、を備える。
【００２８】
通信部４１は、システムコントローラ３０と所定の無線方式によるデータ通信を行う。通信部４１は、アンテナ４２を介して受信したシステムコントローラ３０からの設定完了データを制御部４９に供給すると共に、制御部４９から供給されたコンセントデータをアンテナ４２を介してシステムコントローラ３０に送信する。
【００２９】
入力部４３は、キーパッドやタッチパッド等の入力デバイスから構成され、ユーザ（例えば、作業員等）からの操作入力を受け付け、受け付けた信号（操作信号）を制御部４９に送出する。表示部４４は、液晶モニタ、ドットマトリクスＬＥＤや７セグメントＬＥＤ等で構成され、制御部４９から供給される文字等のデータを表示する。なお、入力部４３及び表示部４４をタッチパネルで具現化してもよい。
【００３０】
電源部４５は、コンセントに差し込んだプラグ４６を介して供給される、対応するブレーカ１０の配線からの電力に基づいて、システムコントローラ３０の各構成部に駆動用の直流電圧を供給する。負荷部４７は、商用電源周波数（〜６０Ｈｚ）よりも高い周波数（高周波）で負荷変動することで、コンセントに差し込んだプラグ４６を介して接続するブレーカ１０の配線上に高周波電流を発生させる。ここでいう高周波とは、例えば、商用電源周波数の整数倍（商用電源高調波）等を含む数百Ｈｚ以上の周波数を想定する。負荷駆動部４８は、制御部４９の制御に従って、駆動用のパルスを負荷部４７に供給する。
【００３１】
制御部４９は、ＣＰＵ、ＲＯＭ、ＲＡＭ等（何れも図示せず）から構成され、各構成部の制御を行う。制御部４９は、プラグ４６がコンセントに差し込まれることで、配線端末設定装置４０の電源がＯＮされると、負荷駆動部４８に駆動用のパルスを発振させて、負荷部４７に高周波で負荷変動を起こさせる。これにより、プラグ４６を介して接続するブレーカ１０の配線に高周波電流が発生する。また、制御部４９は、作業員等により入力部４３を介して、当該コンセントの識別番号（コンセント番号）が入力されると、そのコンセント番号が格納されたコンセントデータを作成し、通信部４１を介して、システムコントローラ３０に送信する。
【００３２】
また、制御部４９は、通信部４１がシステムコントローラ３０からの設定完了データを受信すると、所定のメッセージ（例えば、“このコンセントの設定が完了しました”）を表示部４４に表示する。なお、設定完了データに電力メータ２０のＩＤが含まれている場合には、メッセージの替わりに、当該ＩＤを表示してもよい。
【００３３】
これにより、作業員等は、当該コンセントに対応する電力メータ２０が特定され、システムコントローラ３０で対応付けの設定が完了したことが直ちに判り、配線端末設定装置４０のプラグ４６を当該コンセントから抜いて、次の設定対象のコンセントに移ることができる。したがって、効率的に作業を進めることができる。
【００３４】
図５は、配線端末設定装置４０のプラグ４６をコンセントに差し込んでから、表示部４４に設定完了した旨のメッセージが表示されるまでの各装置（配線端末設定装置４０、電力メータ２０、システムコントローラ３０）における処理の流れを示すフローチャートである。
【００３５】
作業員等によって、設定対象のコンセントに配線端末設定装置４０のプラグ４６が差し込まれると、配線端末設定装置４０は、当該コンセントに対応する配線に高周波電流を発生させる（ステップＳ１０１）。当該配線に対応する電力メータ２０は、高周波電流を検出すると（ステップＳ３０１でＹＥＳ）、その旨の情報と、ＩＤ記憶部２０３に記憶されているＩＤとを格納した高周波電流検出データを作成し、システムコントローラ３０に送信する（ステップＳ３０２）。
【００３６】
システムコントローラ３０は、電力メータ２０からの高周波電流検出データを受信すると（ステップＳ２０１でＹＥＳ）、当該高周波電流検出データから送信元の電力メータ２０のＩＤを抽出する（ステップＳ２０２）。
【００３７】
一方、配線端末設定装置４０では、作業員等によりコンセント番号が入力されると（ステップＳ１０２でＹＥＳ）、制御部４９は、そのコンセント番号を格納したコンセントデータを作成し、通信部４１を介して、システムコントローラ３０に送信する（ステップＳ１０３）。例えば、コンセント番号は、各コンセントに表記されているものとする。
【００３８】
システムコントローラ３０の制御部３５は、かかるコンセントデータを受信すると（ステップＳ２０３でＹＥＳ）、受信したコンセントデータからコンセント番号を抽出し（ステップＳ２０４）、抽出したコンセント番号と、先に抽出した電力メータ２０のＩＤとを対応付けて記憶装置３４に格納する（ステップＳ２０５）。そして、制御部３５は、設定が完了した旨を通知するための設定完了データを配線端末設定装置４０に通信部４１を介して送信する（ステップＳ２０６）。
【００３９】
配線端末設定装置４０の制御部４９は、システムコントローラ３０からの設定完了データを受信すると（ステップＳ１０４でＹＥＳ）、設定が完了した旨を作業員等に報知するためのメッセージ（例えば、“このコンセントの設定が完了しました”）を表示部４４に表示する（ステップＳ１０５）。
【００４０】
以上説明したように、本実施形態の配線端末設定システムによれば、人的な判断に依拠することなく、電力計測システムのシステムコントローラ３０に対して、コンセントと電力メータ２０の対応付けに関する設定が容易にできるため、人的ミスに起因した誤設定を防止できると共に、作業効率の大幅な向上が図れる。
【００４１】
また、配線端末設定装置４０が分岐配線に供給する電流の周波数は、商用電源周波数より高い周波数であるため、ＯＡ機器等の負荷機器を他のコンセントに接続した活線状態でも設定作業を行うことができ、実用性に優れる。
【００４２】
（実施形態２）
実施形態２の配線端末設定システムでは、図６に示すように、配線端末装置は、１つの親機５０と、複数の子機６０とから構成されている。親機５０は、図７に示すように、通信部５１と、アンテナ５２と、入力部５３と、表示部５４と、制御部５５と、を備える。また、子機６０は、図８に示すように、通信部６１と、アンテナ６２と、ＩＤ記憶部６３と、電源部６４と、プラグ６５と、負荷部６６と、負荷駆動部６７と、を備える。
【００４３】
子機６０は、実施形態１の配線端末設定装置４０と異なり、コンセントにプラグ６５を差し込んでも、対応する配線に高周波電流を発生させることはない。子機６０の制御部６８は、親機５０から送信された起動要求コマンドが自己宛か否かを判定し、自己宛である場合には、負荷駆動部６７を制御して、駆動用のパルスを負荷部６６に供給させる。これにより、負荷部６６は、高周波で負荷変動を起こし、プラグ６５を介して接続するブレーカ１０の配線に高周波電流を発生させる。制御部６８は、起動要求コマンドに含まれるＩＤと、ＩＤ記憶部６３に予め記憶されている自己のＩＤとを比較し、両者が一致する場合に、当該起動要求コマンドが自己宛のものであると判定する。
【００４４】
また、子機６０の制御部６８は、親機５０から送信された起動終了コマンドが自己宛か否かを判定し、自己宛である場合には、負荷駆動部６７を制御することで、負荷部６６による負荷変動を停止させる。これにより、配線の高周波電流が消滅する。起動終了コマンドが自己宛か否かの判定は、起動要求コマンドの場合と同様にして行う。
【００４５】
親機５０において、通信部５１は、アンテナ５２を介して受信したシステムコントローラ３０からの設定完了データを制御部５５に供給すると共に、制御部５５から供給されたコンセントデータをアンテナ５２を介してシステムコントローラ３０に送信する。また、通信部５１は、制御部５５から供給される起動要求データ及び起動終了データを制御対象の子機６０に送信する。
【００４６】
入力部５３は、キーボード、キーパッド、タッチパッドやマウス等の入力デバイスから構成され、作業員等からの操作入力を受け付け、受け付けた信号（操作信号）を制御部５５に送出する。表示部５４は、ＣＲＴや液晶モニタ等の表示デバイスにより構成され、制御部５５から供給される文字や画像等のデータを表示する。なお、入力部５３及び表示部５４をタッチパネルで具現化してもよい。
【００４７】
制御部５５は、ＣＰＵ、ＲＯＭ、ＲＡＭ等（何れも図示せず）から構成され、各構成部の制御を行う。制御部５５は、作業員等により、入力部５３を介して子機６０のＩＤと、設定開始指令が入力されると、入力されたＩＤを格納した起動要求コマンドを通信部５１を介して対応する子機６０に送信する。
【００４８】
また、制御部５５は、作業員等により入力部５３を介してコンセント番号が入力されると、そのコンセント番号を格納したコンセントデータを作成し、通信部５１を介して、システムコントローラ３０に送信する。この場合、作業員等は、起動中、即ち、高周波で負荷変動することで、高周波電流を配線に発生させている子機６０が接続しているコンセントのコンセント番号を入力する。
【００４９】
また、制御部５５は、通信部５１がシステムコントローラ３０からの設定完了データを受信すると、所定のメッセージ（例えば、“このコンセントの設定が完了しました”）を表示部５４に出力する。このメッセージを確認すると、作業員等は、入力部５３を介して、起動中の子機６０のＩＤと、設定終了指令を入力する。すると、制御部５５は、入力されたＩＤを格納した起動終了コマンドを通信部５１を介して当該子機６０に送信する。
【００５０】
作業員等は、予め各子機６０をコンセントに接続させた状態で、各子機６０に対して、親機５０を操作して上述した制御を順次行う。これにより、各子機６０が接続するコンセントと、電力メータ２０との対応付けに関する情報が、システムコントローラ３０の記憶装置３４に順次格納される。
【００５１】
以上のように、本実施形態の配線端末設定システムにおいても、実施形態１の配線端末設定システムと同様、人的な判断に依拠することなく、電力計測システムのシステムコントローラ３０に対して、コンセントと電力メータ２０の対応付けに関する設定が容易にできるため、人的ミスに起因した誤設定を防止できると共に、作業効率の大幅な向上が図れる。
【００５２】
また、各子機６０が分岐配線に供給する電流の周波数は、商用電源周波数より高い周波数であるため、ＯＡ機器等の負荷機器を他のコンセントに接続した活線状態でも設定作業を行うことができ、実用性に優れる。
【００５３】
また、配線端末設定装置を親機５０と、子機６０とから構成されるようにし、子機６０が配線に高周波電流を発生させているため、親機６０は、特殊な機能を備える必要がなく、例えば、既存のパーソナルコンピュータ等で実現することが可能であり、操作性が向上する。
【００５４】
なお、本発明は、上記各実施形態に限定されず、本発明の要旨を逸脱しない範囲での種々の変更は勿論可能である。
【００５５】
例えば、上記実施形態では、電気計器として、電力メータを例示したが、電流計や電圧計等であっても構わない。
【００５６】
また、配線端末設定装置４０及び親機５０において、システムコントローラ３０からの設定完了データを受信した際、所定のメッセージを表示部４４及び表示部５４に表示していたが、作業員等への報知の態様に限定はない。例えば、ＬＥＤの点灯（点滅も含む）による報知でもよいし、スピーカやバイブレータを備える構成にすることで、ブザー音、メロディーその他の音声による報知やバイブレーションによる報知を行ってもよい。
【００５７】
また、配線端末設定装置４０のプラグ４６、子機６０のプラグ６５を、天井面に設置される引掛ローゼットに対応可能な端子形状にしてもよい。このようにすると、配線端末設定装置４０、子機６０を照明器用の配線端末に接続させ、対応する配線に高周波電流を発生させることができるので、照明器用の配線端末についても、電力メータ２０と対応付けることが可能となる。
【００５８】
また、上記実施形態では、配線端末設定装置４０及び親機５０は、コンセント番号が格納されたコンセントデータをシステムコントローラ３０に送信していたが、コンセント番号に加えて、作業員等によって入力された他の情報（例えば、部署名や部署コード等）もコンセントデータに格納してもよい。
【００５９】
また、各コンセントの表面に、予め、そのコンセントのコンセント番号を記憶するＩＣタグを取り付けておき、配線端末設定装置４０、親機５０は、かかるＩＣタグからコンセント番号を自動的に読み取って、システムコントローラ３０に送信する仕様にしてもよい。
【００６０】
また、各電力メータ２０の通信上のアドレスを当該電力メータのＩＤとして使用してもよい。この場合、電力メータ２０は、計測データや高周波電流検出データ等の通信データのデータ領域にＩＤを格納する必要がない。一方、システムコントローラ３０は、受信した通信データのヘッダ部を参照して、送信元のアドレスを当該電力メータ２０のＩＤとして抽出すればよい。
【００６１】
また、上記実施形態では、システムコントローラ３０は、高周波電流検出データ及びコンセントデータを受信すると、それぞれ抽出した電力メータ２０のＩＤ及びコンセント番号を対応付けて、直ちに記憶装置３４に格納しているが、配線端末設定装置４０又は親機５０から電力メータ２０のＩＤとコンセント番号を対応付けたデータ（設定データ）を受信し、この設定データを記憶装置３４に格納する仕様にしてもよい。
【００６２】
この場合、システムコントローラ３０は、受信した高周波電流検出データから当該電力メータ２０のＩＤを抽出すると、このＩＤを配線端末設定装置４０又は親機５０に送信する。配線端末設定装置４０又は親機５０は、かかるＩＤをコンセント番号と共に表示する。この際、親機５０では、電力メータ２０のＩＤとそれに対応するコンセント番号からなる組が複数表示される。作業員等は、その対応付けが正しいことを確認すると、入力部４３又は入力部５３を介して、設定許可の指令を入力する。かかる指令が入力されると、配線端末設定装置４０又は親機５０は、システムコントローラ３０に電力メータ２０のＩＤとコンセント番号を対応付けた設定データを送信する。システムコントローラ３０は、受信した設定データを記憶装置３４に格納する。なお、親機５０から送信される設定データには、電力メータ２０のＩＤとそれに対応するコンセント番号からなる組が複数格納されている。
【００６３】
また、実施形態１の配線端末設定装置４０に相当する機能を有する配線端末設定装置と、コンセントとを一体化させてもよい。この場合、例えば、図９に示すように、配線端末設定装置７０を壁内に埋設し、コンセント８０の表面に設定ボタン８１と、ＬＥＤ８２を設ける。作業員等により設定ボタン８１が押下されると、配線端末設定装置７０は、高周波で負荷変動を起こし、接続する配線に高周波電流を発生させる。そして、作業員等により、再度、設定ボタン８１が押下されると、配線端末設定装置７０は、負荷変動を停止し、これにより、接続する配線の高周波電流は消滅する。配線端末設定装置７０は、システムコントローラ３０からの設定完了データを受信すると、ＬＥＤ８２を点灯させる。ＬＥＤ８２の点灯により、作業員等は、当該コンセントに対応する電力メータ２０が特定され、システムコントローラ３０で対応付けの設定が完了したことを直ちに認識することができる。
【産業上の利用可能性】
【００６４】
本発明は、オフィスビル等における消費電力の監視を目的とした様々なシステムに適用できる。
【符号の説明】
【００６５】
１０  ブレーカ
２０  電力メータ
３０  システムコントローラ
３１、４１、５１、６１、２０４  通信部
３２、４３、５３  入力部
３３、４４、５４  表示部
３４  記憶装置
３５、４９、５５、６８  制御部
４０、７０  配線端末設定装置
４２、５２、６２  アンテナ
４５、６４  電源部
４６、６５  プラグ
４７、６６  負荷部
４８、６７  負荷駆動部
５０  親機
６０  子機
６３、２０３  ＩＤ記憶部
８０  コンセント
８１  設定ボタン
８２  ＬＥＤ
２０１  電力計測部
２０２  高周波電流検出部
【図１】
2011038978.tif 000003
【図２】
2011038978.tif 000004
【図３】
2011038978.tif 000005
【図４】
2011038978.tif 000006
【図５】
2011038978.tif 000007
【図６】
2011038978.tif 000008
【図７】
2011038978.tif 000009
【図８】
2011038978.tif 000010
【図９】
2011038978.tif 000011